【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
ランドとグルーブの双方に信号が記録され且つ上記ランドと上記グルーブとの段差が上記ランドからの反射光と上記グルーブからの反射光とに略９０°の位相差を与えるように設定されている光記録媒体に対し、光源より発せられた光を照射して上記ランドと上記グルーブの記録信号の双方を反映した反射光としての信号光を得、且つ上記光源より発せられた光をミラーにて反射させてコヒーレント光としての参照光を生成すると共に、これら信号光と参照光とを重ね合わせて出射する光生成・出射部と、
上記光生成・出射部より出射された上記信号光と上記参照光の重ね合わせ光に対し、略０°の位相差を与えた第１の信号光と参照光の組と、略１８０°の位相差を与えた第２の信号光と参照光の組と、略９０°の位相差を与えた第３の信号光と参照光の組と、略２７０°の位相差を与えた第４の信号光と参照光の組をそれぞれ生成する検波光学系と、
上記第１の信号光と参照光の組を第１受光素子、上記第２の信号光と参照光の組を第２受光素子、上記第３の信号光と参照光の組を第３受光素子、上記第４の信号光と参照光の組を第４受光素子によってそれぞれ受光する受光部と、
上記第１受光素子で得られる第１受光信号と、上記第２受光素子で得られる第２受光信号と、上記第３受光素子で得られる第３受光信号と、上記第４受光素子で得られる第４受光信号とに基づき、上記ランドの記録信号と上記グルーブの記録信号を再生する再生部と
を備える再生装置。
【請求項２】
上記再生部は、
上記第１受光信号と上記第２受光信号との差分である第１差分信号と、上記第３受光信号と上記第４受光信号との差分である第２差分信号とを計算し、これら第１差分信号と第２差分信号とに基づき、上記ランドの記録信号と上記グルーブの記録信号を再生する
請求項１に記載の再生装置。
【請求項３】
上記光生成・出射部が出射する上記信号光と上記参照光の位相差を、演算により、又は上記ミラーの位置制御によってキャンセルする
請求項１又は請求項２に記載の再生装置。
【請求項４】
上記再生部は、
上記第１差分信号の低域成分を抽出した信号である第１低域信号をＩ１_lpfとし、上記第２差分信号の低域成分を抽出した信号である第２低域信号をＩ２_lpfとしたとき、
ａｒｃｔａｎ（Ｉ２_lpf／Ｉ１_lpf）
を計算することで上記光生成・出射部が出射する上記信号光と上記参照光との位相差の値を得、該値を用いて上記位相差をキャンセルする演算を行う
請求項３に記載の再生装置。
【請求項５】
上記再生部は、
上記第１差分信号の値をＩ１、上記第２差分信号の値をＩ２、上記第１低域信号と上記第２低域信号との差の値をＸとしたとき、
Ｉ１・ｃｏｓＸ＋Ｉ２・ｓｉｎＸ
及び
−Ｉ１×ｓｉｎＸ＋Ｉ２×ｃｏｓＸ
で表される演算を行って、上記ランドの記録信号についての再生信号、及び上記グルーブの記録信号についての再生信号を得る
請求項４に記載の再生装置。
【請求項６】
上記検波光学系は、
上記光生成・出射部より出射された上記信号光と上記参照光の重ね合わせ光に対し、略４５°の位相差を与えた第５の信号光と参照光の組と、略２２５°の位相差を与えた第６の信号光と参照光の組をさらに生成し、
上記受光部は、
上記第５の信号光と参照光の組を第５受光素子、上記第６の信号光と参照光の組を第６受光素子によってそれぞれ受光し、
上記第５受光素子で得られる第５受光信号と、上記第６受光素子で得られる第６受光信号との差分値が所定の目標値となるように、上記ミラーの位置制御を行うミラー位置制御部を備える
請求項３に記載の再生装置。
【請求項７】
上記光生成・出射部は、
上記光源より発せられた光を対物レンズを介して上記光記録媒体に照射すると共に、該対物レンズを介して、上記信号光を得るための第１の光と共に、該第１の光が上記光記録媒体上に形成するビームスポットに対しそのビームスポットが上記ランドと上記グルーブとの形成ピッチの１／２の長さだけトラッキング方向にずれた位置に形成される第２の光を照射するように構成されており、
上記第２の光の受光信号に基づき、上記対物レンズのトラッキングサーボ制御を行うトラッキングサーボ制御部を備える
請求項１乃至請求項６何れかに記載の再生装置。
【請求項８】
ランドとグルーブの双方に信号が記録され且つ上記ランドと上記グルーブとの段差が上記ランドからの反射光と上記グルーブからの反射光とに略９０°の位相差を与えるように設定されている光記録媒体に対し、光源より発せられた光を照射して上記ランドと上記グルーブの記録信号の双方を反映した反射光としての信号光を得、且つ上記光源より発せられた光をミラーにて反射させてコヒーレント光としての参照光を生成すると共に、これら信号光と参照光とを重ね合わせて出射する光生成・出射手順と、
上記光生成・出射手順により出射した上記信号光と上記参照光の重ね合わせ光に対し、略０°の位相差を与えた第１の信号光と参照光の組と、略１８０°の位相差を与えた第２の信号光と参照光の組と、略９０°の位相差を与えた第３の信号光と参照光の組と、略２７０°の位相差を与えた第４の信号光と参照光の組をそれぞれ生成する位相差付与手順と、
上記第１の信号光と参照光の組を第１受光素子、上記第２の信号光と参照光の組を第２受光素子、上記第３の信号光と参照光の組を第３受光素子、上記第４の信号光と参照光の組を第４受光素子によってそれぞれ受光する受光手順と、
上記第１受光素子で得られる第１受光信号と、上記第２受光素子で得られる第２受光信号と、上記第３受光素子で得られる第３受光信号と、上記第４受光素子で得られる第４受光信号とに基づき、上記ランドの記録信号と上記グルーブの記録信号を再生する再生手順と
を有する再生方法。
【手続補正２】
【補正対象書類名】明細書
【補正対象項目名】００２２
【補正方法】変更
【補正の内容】
【００２２】
このとき、偏光ビームスプリッタ１３は、例えばＰ偏光を透過しＳ偏光を反射するように構成されているとする。その上で、１／２波長板１２の取り付け角度（レーザ光の入射面内において光軸を中心とした回転角度）は、偏光ビームスプリッタ１３を透過して出力される光（Ｐ偏光成分）と反射して出力される光（Ｓ偏光成分）との比率（すなわち偏光ビームスプリッタ１３による分光比）がほぼ１：１となるように調整されているとする。
【手続補正３】
【補正対象書類名】明細書
【補正対象項目名】００４４
【補正方法】変更
【補正の内容】
【００４４】
図５は、位相ダイバーシティ方式で用いる再生装置が備える信号生成系及びサーボ制御系の構成についての説明図である。
この場合の再生装置には、位置制御用受光部２２による受光信号Ｄ_psに基づき２軸アクチュエータ１６（対物レンズ１５）についてのサーボ制御を行うための構成として、信号生成回路３５、及びサーボ回路３６が設けられる。
また当該再生装置には、第１光検出部ＰＤ１による受光信号ＩPD1、第２光検出部ＰＤ２による受光信号ＩPD2、第３光検出部ＰＤ３による受光信号ＩPD3、第４光検出部ＰＤ４による受光信号ＩPD4に基づき、光記録媒体１’に記録された信号を再生した信号としての、ＲＦ信号を生成する再生信号生成部３７が設けられる。
【手続補正４】
【補正対象書類名】明細書
【補正対象項目名】０１０７
【補正方法】変更
【補正の内容】
【０１０７】
ホモダイン検波光学系２０の構成は、先の図３，図４にて説明したものと同様となる。従ってこの場合のホモダイン検波光学系２０によっては、偏光ビームスプリッタ４５より入射した合成信号光と参照光との重ね合わせ光に対して、０°の位相差を付与した光線Ｌ１が第１光検出部ＰＤ１の検出面上に集光され、１８０°の位相差を付与した光線Ｌ２が第２光検出部ＰＤ２の検出面上に集光され、９０°の位相差を付与した光線Ｌ３が第３光検出部ＰＤ３の検出面上に集光され、２７０°の位相差を付与した光線Ｌ４が第４光検出部ＰＤ４の検出面上に集光されることになる。